(57)【特許請求の範囲】
【請求項１】
基板と、
前記基板に配置された複数の画素電極と、
前記複数の画素電極と電気的に接続された複数の信号線と、
前記複数の信号線と対向するように配置された複数の駆動電極と、
前記複数の駆動電極の内、少なくとも１つの選択された第１駆動電極にタッチ検出用のタッチ駆動信号を印加する走査駆動部と、を備え、
前記走査駆動部は、前記選択された第１駆動電極に対向する少なくとも１つの第１信号線に前記タッチ駆動信号と同じ矩形波を印加する
表示装置。
【請求項２】
前記走査駆動部は、前記複数の駆動電極の内、少なくとも1つの選択された第２駆動電極に表示用の表示駆動信号を印加する
請求項１に記載の表示装置。
【請求項３】
前記走査駆動部は、前記複数の信号線の内、前記選択された第２駆動電極に対向する少なくとも1つの第２信号線に画素信号を印加する
請求項２に記載の表示装置。
【請求項４】
前記走査駆動部は、前記表示駆動信号を供給する表示動作期間と、前記タッチ駆動信号を供給するタッチ動作期間と、が異なる期間である
請求項２に記載の表示装置。
【請求項５】
前記走査駆動部は、前記第１駆動電極以外の少なくとも１つの第３駆動電極を、第１基準電位に固定する
請求項１に記載の表示装置。
【請求項６】
前記走査駆動部は、前記第３駆動電極に対向する少なくとも1つの第３信号線を、第１基準電位に固定する
請求項５に記載の表示装置。
【請求項７】
前記走査駆動部は、前記第１駆動電極以外の少なくとも１つの第３駆動電極と、前記第３駆動電極に対向する第３信号線と、に同一の信号を印加する
請求項１に記載の表示装置。
【請求項８】
前記走査駆動部と前記複数の駆動電極を結ぶ複数の第１配線と、
前記複数の第１配線と電気的に接続された複数の第１スイッチ素子を有し、
複数の前記第１スイッチ素子の内、少なくとも１つの第１スイッチ素子は、前記複数の信号線の内、少なくとも１つの信号線と電気的に接続されている
請求項１に記載の表示装置。
【請求項９】
前記走査駆動部は、複数の前記第１スイッチ素子の内、少なくとも１つの選択された第１スイッチ素子をオンとすることで、前記選択された第１スイッチ素子と電気的に接続された駆動電極と、前記選択された第１スイッチ素子と電気的に接続された信号線と、の双方にタッチ駆動信号を供給する
請求項８に記載の表示装置。
【請求項１０】
前記タッチ駆動信号を供給する第２配線を有し、
前記第２配線に電気的に接続された複数の第１スイッチ素子を有し、
前記複数の信号線は、第１方向に延在し、前記第１方向と交差する第２方向に配列されており、
前記複数の信号線は、前記第１方向の端部として複数の第１端部と複数の第２端部を有し、
前記第２配線は、前記複数の第１端部または前記複数の第２端部の少なくとも一方の複数の端部に沿って延在しており、
複数の前記第１スイッチ素子は、前記一方の複数の端部と電気的に接続されている
請求項１に記載の表示装置。
【請求項１１】
前記第２配線に電気的に接続される第２スイッチ素子を有し、
前記第２配線は、前記複数の第１端部または前記複数の第２端部の他方の複数の端部に沿って延在しており、
複数の前記第２スイッチ素子は、前記他方の複数の端部と電気的に接続されている
請求項１０に記載の表示装置。
【請求項１２】
複数の前記第１スイッチ素子の制御信号を供給する第１制御信号線と、
複数の前記第２スイッチ素子の制御信号を供給する第２制御信号線とを有し、
前記第１制御信号線と前記第２制御信号線は電気的に接続されている
請求項１１に記載の表示装置。
【請求項１３】
前記複数の信号線は、第１方向に延在し、第２方向に配列されており、
前記複数の駆動電極は、第１方向に延在し、第２方向に配列されている
請求項１に記載の表示装置。
【請求項１４】
前記複数の駆動電極と対向する複数の検出電極を有し、
前記複数の駆動電極と前記複数の検出電極との間の容量変化を検出するタッチ検出部を有する
請求項１に記載の表示装置。
【請求項１５】
前記複数の駆動電極と対向するカラーフィルタ層を有し、
前記カラーフィルタ層は、赤色領域、緑色領域、青色領域を有し、
前記複数の駆動電極の内、少なくとも１つの駆動電極と、前記少なくとも１つの駆動電極に隣接する駆動電極の間のスリットが、前記赤色領域と青色領域の間のスリットに対向する
請求項１に記載の表示装置。
【請求項１６】
複数の金属補助配線を有し、
前記複数の金属補助配線は、前記複数の信号線と対向しており、
前記走査駆動部は、前記第１信号線と対向する、前記複数の金属補助配線の内、少なくとも１つの金属補助配線に、前記タッチ駆動信号と同一の矩形波を印加する
請求項１に記載の表示装置。
【請求項１７】
複数の金属補助配線を有し、
前記複数の駆動電極は透明導電材で形成され、
前記複数の金属補助配線は、前記複数の駆動電極の上に積層される
請求項１に記載の表示装置。
【発明の詳細な説明】
【技術分野】
【０００１】
本発明は、外部近接物体を検出可能な表示装置に係り、特に静電容量の変化に基づいて外部近接物体を検出可能な表示装置に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着または一体化され、タッチ検出機能付き表示装置に用いられている。そして、タッチ検出機能付き表示装置は、表示装置に各種のボタン画像等を表示させることにより、タッチパネルを通常の機械式ボタンの代わりとして情報入力を可能としている。このようなタッチパネルを有する、タッチ検出機能付き表示装置は、キーボードやマウス、キーパッドのような入力装置を必要としないため、コンピュータのほか、携帯電話のような携帯情報機器などでも、使用が拡大する傾向にある。
【０００３】
タッチ検出装置の方式として、光学式、抵抗式、静電容量式などいくつかの方式が存在する。静電容量式のタッチ検出装置を、携帯情報端末などに用いると、比較的単純な構造をもち、かつ低消費電力な機器が実現できる。例えば、特許文献１及び特許文献２には、静電容量式のタッチパネルが記載されている。
【先行技術文献】
【特許文献】
【０００４】
【特許文献１】特開２０１１−２３３０１８号公報
【特許文献２】特開２０１２−０４７８０７号公報
【発明の概要】
【発明が解決しようとする課題】
【０００５】
ところで、タッチ検出機能付き表示装置は、大画面化または高精細化のため、駆動電極へ供給する駆動信号の周波数を高める必要がある。これに対し、タッチ検出機能付き表示装置は、複数の信号線にも画素電極に画像を表示するための画素信号が供給される。タッチ検出機能付き表示装置は、近年、薄型化が求められることで、駆動電極と信号線との距離が短くなっている。そして、駆動電極と信号線とが立体交差していると、駆動電極と信号線との間の寄生容量が大きくなり、駆動電極の充放電に時間がかかる可能性がある。
【０００６】
上述した特許文献１及び特許文献２に記載のタッチ検出機能付き表示装置は、駆動電極と信号線との間の寄生容量が大きくなることに対し、考慮されていない。
【０００７】
本開示は、かかる問題点に鑑みてなされたもので、その目的は、駆動電極と信号線との間の寄生容量の影響を抑えつつタッチ検出を行うことができる表示装置を提供することにある。
【課題を解決するための手段】
【０００８】
本開示の表示装置は、基板と、前記基板に配置された複数の画素電極と、前記複数の画素電極と電気的に接続された複数の信号線と、前記複数の信号線と対向するように配置された複数の駆動電極と、前記複数の駆動電極の内、少なくとも１つの選択された第１駆動電極にタッチ検出用のタッチ駆動信号を印加する走査駆動部と、を備え、前記走査駆動部は、前記選択された第１駆動電極に対向する少なくとも１つの第１信号線に前記タッチ駆動信号と同じ矩形波を印加する。
【０００９】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【００１０】
本開示の表示装置は、駆動電極と信号線との間の寄生容量を低減し、駆動電極の充放電の影響を抑えることができる。このため、本開示の表示装置は、タッチ検出の消費電力を抑制することができる。また、本開示の表示装置は、駆動電極へ供給する駆動信号の周波数を高めることができる。
【発明の効果】
【００１１】
本開示の表示装置によれば、薄型化、大画面化または高精細化することができる。
【図面の簡単な説明】
【００１２】
【図１】図１は、実施形態１に係るタッチ検出機能付き表示装置の一構成例を表すブロック図である。
【図２】図２は、静電容量型タッチ検出方式の基本原理を説明するため、指が装置に接触または近接していない状態を表す説明図である。
【図３】図３は、図２に示す指が装置に接触または近接していない状態の等価回路の例を示す説明図である。
【図４】図４は、静電容量型タッチ検出方式の基本原理を説明するため、指が装置に接触または近接した状態を表す説明図である。
【図５】図５は、図４に示す指が装置に接触または近接した状態の等価回路の例を示す説明図である。
【図６】図６は、駆動信号及びタッチ検出信号の波形の一例を表す図である。
【図７】図７は、実施形態１に係るタッチ検出機能付き表示装置を実装したモジュールの一例を示す図である。
【図８】図８は、実施形態１に係るタッチ検出機能付き表示装置を実装したモジュールにおいて、駆動電極と、画素信号線との関係を説明する模式図である。
【図９】図９は、実施形態１に係るタッチ検出機能付き表示部の概略断面構造を表す断面図である。
【図１０】図１０は、実施形態１に係るタッチ検出機能付き表示部の画素配列を表す回路図である。
【図１１】図１１は、実施形態１に係るタッチ検出機能付き表示装置を実装したモジュールにおいて、駆動電極と、画素信号線と、画素電極との関係を説明する断面の模式図である。
【図１２】図１２は、実施形態１に係るタッチ検出機能付き表示装置を実装したモジュールにおいて、駆動電極と、画素信号線と、画素との関係を説明する模式図である。
【図１３】図１３は、実施形態１に係るタッチ検出機能付き表示部の駆動電極及びタッチ検出電極の一構成例を表す斜視図である。
【図１４】図１４は、実施形態１に係る駆動電極ドライバの一動作例を表す模式図である。
【図１５】図１５は、実施形態１に係る表示動作期間とタッチ検出動作期間との関係を表す模式図である。
【図１６】図１６は、実施形態１の変形例に係るタッチ検出機能付き表示装置を実装したモジュールにおいて、駆動電極と、画素信号線と、画素との関係を説明する模式図である。
【図１７】図１７は、実施形態２に係るタッチ検出機能付き表示装置を実装したモジュールにおいて、駆動電極と、画素信号線と、画素電極との関係を説明する断面の模式図である。
【図１８】図１８は、実施形態２に係るタッチ検出機能付き表示装置を実装したモジュールにおいて、駆動電極と、画素信号線と、画素との関係を説明する模式図である。
【図１９】図１９は、実施形態２の変形例に係るタッチ検出機能付き表示装置を実装したモジュールにおいて、駆動電極と、画素信号線と、画素電極との関係を説明する断面の模式図である。
【図２０】図２０は、実施形態２の変形例に係るタッチ検出機能付き表示装置を実装したモジュールにおいて、駆動電極と、画素信号線と、画素との関係を説明する模式図である。
【図２１】図２１は、実施形態３に係るタッチ検出機能付き表示装置を実装したモジュールの一例を示す図である。
【図２２】図２２は、実施形態３に係るタッチ検出機能付き表示装置を実装したモジュールにおいて、駆動電極と、画素信号線との関係を説明する模式図である。
【図２３】図２３は、実施形態４に係るタッチ検出機能付き表示装置を実装したモジュールにおいて、駆動電極と、画素信号線との関係を説明する模式図である。
【図２４】図２４は、本実施形態に係るタッチ検出機能付き表示装置を適用する電子機器の一例を示す図である。
【図２５】図２５は、本実施形態に係るタッチ検出機能付き表示装置を適用する電子機器の一例を示す図である。
【図２６】図２６は、本実施形態に係るタッチ検出機能付き表示装置を適用する電子機器の一例を示す図である。
【図２７】図２７は、本実施形態に係るタッチ検出機能付き表示装置を適用する電子機器の一例を示す図である。
【図２８】図２８は、本実施形態に係るタッチ検出機能付き表示装置を適用する電子機器の一例を示す図である。
【図２９】図２９は、本実施形態に係るタッチ検出機能付き表示装置を適用する電子機器の一例を示す図である。
【図３０】図３０は、本実施形態に係るタッチ検出機能付き表示装置を適用する電子機器の一例を示す図である。
【図３１】図３１は、本実施形態に係るタッチ検出機能付き表示装置を適用する電子機器の一例を示す図である。
【図３２】図３２は、本実施形態に係るタッチ検出機能付き表示装置を適用する電子機器の一例を示す図である。
【図３３】図３３は、本実施形態に係るタッチ検出機能付き表示装置を適用する電子機器の一例を示す図である。
【図３４】図３４は、本実施形態に係るタッチ検出機能付き表示装置を適用する電子機器の一例を示す図である。
【図３５】図３５は、本実施形態に係るタッチ検出機能付き表示装置を適用する電子機器の一例を示す図である。
【発明を実施するための形態】
【００１３】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（タッチ検出機能付き表示装置）
１−１．実施形態１
１−２．実施形態２
１−３．実施形態３
１−４．実施形態４
１−５．他の実施形態及び変形例
２．適用例（電子機器）
上記実施形態に係るタッチ検出機能付き表示装置が電子機器に適用されている例
３．本開示の態様
【００１４】
＜１．実施形態＞
＜１−１．実施形態１＞
［構成例］
（全体構成例）
図１は、実施形態１に係るタッチ検出機能付き表示装置の一構成例を表すブロック図である。タッチ検出機能付き表示装置１は、タッチ検出機能付き表示部１０と、制御部１１と、ゲートドライバ１２と、ソースドライバ１３と、ソースセレクタ部１３Ｓと、駆動電極ドライバ１４と、駆動信号セレクタ部１４Ｓと、タッチ検出部４０とを備えている。このタッチ検出機能付き表示装置１は、タッチ検出機能付き表示部１０がタッチ検出機能を内蔵した表示装置である。タッチ検出機能付き表示部１０は、表示素子として液晶表示素子を用いている液晶表示部２０と静電容量型のタッチ検出デバイス３０とを一体化した、いわゆるインセルタイプの装置である。なお、タッチ検出機能付き表示部１０は、表示素子として液晶表示素子を用いている液晶表示部２０の上に、静電容量型のタッチ検出デバイス３０を装着した、いわゆるオンセルタイプの装置であってもよい。
【００１５】
液晶表示部２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１６】
ゲートドライバ１２は、制御部１１から供給される制御信号に基づいて、タッチ検出機能付き表示部１０の表示駆動の対象となる１水平ラインを順次選択する機能を有している。
【００１７】
ソースドライバ１３は、制御部１１から供給される制御信号に基づいて、タッチ検出機能付き表示部１０の、後述する各画素Ｐｉｘ（副画素ＳＰｉｘ）に画素信号Ｖｐｉｘを供給する回路である。ソースドライバ１３は、後述するように、１水平ライン分の映像信号から、液晶表示部２０の複数の副画素ＳＰｉｘの画素信号Ｖｐｉｘを時分割多重化した画素信号を生成し、ソースセレクタ部１３Ｓに供給する。また、ソースドライバ１３は、画像信号Ｖｓｉｇに多重化された画素信号Ｖｐｉｘを分離するために必要なスイッチ制御信号ＳＥＬを生成し、画素信号Ｖｐｉｘとともにソースセレクタ部１３Ｓに供給する。なお、ソースセレクタ部１３Ｓは、ソースドライバ１３と制御部１１との間の配線数を少なくすることができる。
【００１８】
駆動電極ドライバ１４は、制御部１１から供給される制御信号に基づいて、タッチ検出機能付き表示部１０の、後述する駆動電極ＣＯＭＬに駆動信号Ｖｃｏｍを供給する回路である。駆動信号セレクタ部１４Ｓは、駆動電極ドライバ１４が生成するスイッチ制御信号ＳＥＬＣに応じて、駆動信号Ｖｃｏｍを供給する後述する駆動電極ＣＯＭＬを選択する。
【００１９】
タッチ検出部４０は、制御部１１から供給される制御信号と、タッチ検出機能付き表示部１０のタッチ検出デバイス３０から供給されたタッチ検出信号Ｖｄｅｔに基づいて、タッチ検出デバイス３０に対するタッチ（上述した接触状態）の有無を検出し、タッチがある場合においてタッチ検出領域におけるその座標などを求める回路である。このタッチ検出部４０はタッチ検出信号増幅部４２と、Ａ／Ｄ変換部４３と、信号処理部４４と、座標抽出部４５と、検出タイミング制御部４６とを備えている。
【００２０】
タッチ検出信号増幅部４２は、タッチ検出デバイス３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００２１】
（静電容量型タッチ検出の基本原理）
タッチ検出デバイス３０は、静電容量型タッチ検出の基本原理に基づいて動作し、タッチ検出信号Ｖｄｅｔを出力する。図１〜図６を参照して、本実施形態のタッチ検出機能付き表示装置１におけるタッチ検出の基本原理について説明する。図２は、静電容量型タッチ検出方式の基本原理を説明するため、指が装置に接触または近接していない状態を表す説明図である。図３は、図２に示す指が装置に接触または近接していない状態の等価回路の例を示す説明図である。図４は、静電容量型タッチ検出方式の基本原理を説明するため、指が装置に接触または近接した状態を表す説明図である。図５は、図４に示す指が装置に接触または近接した状態の等価回路の例を示す説明図である。
【００２２】
例えば、図２に示すように、容量素子Ｃ１は、誘電体Ｄを挟んで互いに対向配置された一対の電極、駆動電極Ｅ１及びタッチ検出電極Ｅ２を備えている。図３に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図１に示すタッチ検出信号増幅部４２に含まれる積分回路である。
【００２３】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２４】
指が装置に接触（または近接）していない状態（非接触状態）では、図２及び図３に示すように、容量素子Ｃ１に対する充放電に伴って、容量素子Ｃ１の容量値に応じた電流Ｉ０が流れる。図６に示すように、電圧検出器ＤＥＴは、交流矩形波Ｓｇに応じた電流Ｉ０の変動を電圧の変動（実線の波形Ｖ０）に変換する。
【００２５】
一方、指が装置に接触（または近接）した状態（接触状態）では、図４に示すように、指によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図５に示す等価回路でみると、容量素子Ｃ１’に電流Ｉ１が流れる。図６に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部からの近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間ＲＥＳＥＴを設けた動作とすることがより好ましい。
【００２６】
図１に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２７】
タッチ検出デバイス３０は、複数の後述するタッチ検出電極ＴＤＬから、図３又は図５に示す電圧検出器ＤＥＴを介して、検出ブロックごとにタッチ検出信号Ｖｄｅｔを出力し、タッチ検出部４０のタッチ検出信号増幅部４２に供給するようになっている。
【００２８】
Ａ／Ｄ変換部４３は、タッチ駆動信号Ｖｃｏｍｔに同期したタイミングで、タッチ検出信号増幅部４２から出力されるアナログ信号をそれぞれサンプリングしてデジタル信号に変換する回路である。
【００２９】
信号処理部４４は、Ａ／Ｄ変換部４３の出力信号に含まれる、タッチ駆動信号Ｖｃｏｍｔをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による電圧の差分のみ取り出す処理をおこなう。この指による電圧の差分は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による電圧の差分を所定のしきい値電圧と比較し、電圧の差分がこのしきい値電圧以上であれば、外部から近接する外部近接物体が接触状態にあると判断する。一方、信号処理部４４は、電圧の差分がしきい値電圧未満であれば、外部近接物体が非接触状態であると判断する。このようにして、タッチ検出部４０はタッチ検出が可能となる。
【００３０】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００３１】
（モジュール）
図７は、実施形態１に係るタッチ検出機能付き表示装置を実装したモジュールの一例を示す図である。図７に示すように、タッチ検出機能付き表示装置１は、タッチ検出機能付き表示部１０と、駆動電極ドライバ１４と、ＣＯＧ（Chip  On  Glass）１９とを含む。ＣＯＧ１９は、上述したソースドライバ１３及びソースセレクタ部１３Ｓを含む。なお、駆動信号セレクタ部１４Ｓは、図示を省略しているが、駆動電極ドライバ１４と同じ位置に配置されている。駆動電極ドライバ１４は、ガラス基板であるＴＦＴ基板２１に形成されている。ＣＯＧ１９は、ＴＦＴ基板２１に実装されたチップであり、図１に示した制御部１１、ソースドライバ１３など、表示動作に必要な各回路を内蔵したものである。また、タッチ検出機能付き表示装置１は、ＣＯＧ（Chip  On  Glass）に駆動電極ドライバ１４、ゲートドライバ１２などの回路を内蔵してもよい。
【００３２】
図７は、ＴＦＴ基板２１の表面に対する垂直方向において、このタッチ検出機能付き表示部１０における、駆動電極ＣＯＭＬと、駆動電極ＣＯＭＬと立体交差するように形成されたゲートドライバ１２に接続される走査信号線ＧＣＬとを模式的に示している。また、図７は、ＴＦＴ基板２１の表面に対する垂直方向において、タッチ検出機能付き表示部１０における、駆動電極ＣＯＭＬと、駆動電極ＣＯＭＬと交差せず平行な方向に延びるように形成された画素信号線ＳＧＬとを模式的に示している。
【００３３】
タッチ検出機能付き表示部１０は、いわゆるランドスケープ型（横長）のものである。駆動電極ＣＯＭＬは、タッチ検出機能付き表示部１０の長辺方向に形成されており、後述するタッチ検出電極ＴＤＬは、タッチ検出機能付き表示部１０の短辺方向に形成されている。タッチ検出電極ＴＤＬの出力は、タッチ検出機能付き表示部１０の短辺側に設けられ、フレキシブル基板などにより構成された端子部Ｔを介して、このモジュールの外部に実装されたタッチ検出部４０（図示省略）と接続されている。
【００３４】
このように、図７に示すタッチ検出機能付き表示装置１は、タッチ検出信号Ｖｄｅｔを、タッチ検出機能付き表示部１０の短辺側から出力する。これにより、タッチ検出機能付き表示装置１は、端子部Ｔを介してタッチ検出部４０に接続する際の配線の引き回しが容易になる。
【００３５】
（タッチ検出機能付き表示部１０）
次に、タッチ検出機能付き表示部１０の構成例を詳細に説明する。図８は、実施形態１に係るタッチ検出機能付き表示装置を実装したモジュールにおいて、駆動電極と、画素信号線との関係を説明する模式図である。図９は、実施形態１に係るタッチ検出機能付き表示部の概略断面構造を表す断面図である。図１０は、実施形態１に係るタッチ検出機能付き表示部の画素配列を表す回路図である。
【００３６】
図８に示すように、タッチ検出機能付き表示装置１では、画素信号線ＳＧＬが、ソースセレクタ部１３Ｓを介してＣＯＧ１９に内蔵したソースドライバ１３に接続されている。ソースセレクタ部１３Ｓは、スイッチ制御信号ＳＥＬに応じて開閉動作する。タッチ検出機能付き表示装置１では、駆動電極ＣＯＭＬが、ＣＯＧ１９に内蔵した駆動電極ドライバ１４に、接続されている。カラーフィルタ３２は、赤（Ｒ）、緑（Ｇ）、青（Ｂ）の３色に着色された色領域３２Ｒ、３２Ｇ、３２Ｂを含む。カラーフィルタ３２は、ＴＦＴ基板２１と垂直な方向において、駆動電極ＣＯＭＬと対向しており、ＴＦＴ基板２１の表面と垂直な方向にみて重なり合う。
【００３７】
駆動電極ドライバ１４は、例えば選択した駆動電極ブロックＳｔｘだけ、駆動信号Ｖｃｏｍを供給し、選択していない駆動電極ブロックＮｔｘには、駆動信号Ｖｃｏｍを供給しない。
【００３８】
図９に示すように、タッチ検出機能付き表示部１０は、画素基板２と、この画素基板２の表面に垂直な方向に対向して配置された対向基板３と、画素基板２と対向基板３との間に挿設された液晶層６とを備えている。
【００３９】
液晶層６は、電界の状態に応じてそこを通過する光を変調するものであり、例えば、ＦＦＳ（フリンジフィールドスイッチング）モードまたはＩＰＳ（インプレーンスイッチング）モード等の横電界モードの液晶を用いた液晶表示部が用いられる。なお、図９に示す液晶層６と画素基板２との間、及び液晶層６と対向基板３との間には、それぞれ配向膜が配設されてもよい。
【００４０】
また、対向基板３は、ガラス基板３１と、このガラス基板３１の一方の面に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５Ａが配設されている。
【００４１】
画素基板２は、回路基板としてのＴＦＴ基板２１と、このＴＦＴ基板２１上にマトリックス状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、ＴＦＴ基板２１の下面側には入射側偏光板３５Ｂとを含む。
【００４２】
ＴＦＴ基板２１には、図１０に示す各副画素ＳＰｉｘの薄膜トランジスタ（ＴＦＴ；Thin  Film  Transistor）素子Ｔｒ、各画素電極２２に画素信号Ｖｐｉｘを供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素に画像を表示するための画素信号Ｖｐｉｘを供給する。図１０に示す液晶表示部２０は、マトリックス状に配列した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００４３】
副画素ＳＰｉｘは、走査信号線ＧＣＬにより、液晶表示部２０の同じ行に属する他の副画素ＳＰｉｘと互いに接続されている。走査信号線ＧＣＬは、ゲートドライバ１２と接続され、ゲートドライバ１２より走査信号Ｖｓｃａｎが供給される。また、副画素ＳＰｉｘは、画素信号線ＳＧＬにより、液晶表示部２０の同じ列に属する他の副画素ＳＰｉｘと互いに接続されている。画素信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示部２０の同じ列に属する他の副画素ＳＰｉｘと互いに接続されている。駆動電極ＣＯＭＬは、駆動電極ドライバ１４と接続され、駆動電極ドライバ１４より駆動信号Ｖｃｏｍが供給される。つまり、この例では、同じ一列に属する複数の副画素ＳＰｉｘが一本の駆動電極ＣＯＭＬを共有するようになっている。
【００４４】
図１に示すゲートドライバ１２は、走査信号Ｖｓｃａｎを、図１０に示す走査信号線ＧＣＬを介して、副画素ＳＰｉｘのＴＦＴ素子Ｔｒのゲートに印加することにより、液晶表示部２０にマトリックス状に形成されている副画素ＳＰｉｘのうちの１行（１水平ライン）を表示駆動の対象として順次選択する。図１に示すソースドライバ１３は、画素信号Ｖｐｉｘを、図１０に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図９及び図１０に示す、所定の本数の駆動電極ＣＯＭＬからなる駆動電極ブロックごとに駆動電極ＣＯＭＬを駆動する。
【００４５】
上述したように、液晶表示部２０では、ゲートドライバ１２が走査信号線ＧＣＬを時分割的に線順次走査するように駆動することにより、１水平ラインが順次選択される。また、液晶表示部２０では、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含む駆動電極ブロックに対して駆動信号Ｖｃｏｍを印加するようになっている。
【００４６】
図９に示すカラーフィルタ３２は、例えば赤（Ｒ）、緑（Ｇ）、青（Ｂ）の３色に着色されたカラーフィルタの色領域を周期的に配列して、上述した図１０に示す各副画素ＳＰｉｘにＲ、Ｇ、Ｂの３色の色領域３２Ｒ、３２Ｇ、３２Ｂ（図８参照）が１組として画素Ｐｉｘとして対応付けられている。カラーフィルタ３２は、ＴＦＴ基板２１と垂直な方向において、液晶層６と対向する。なお、カラーフィルタ３２は、互いに異なる色に着色されていれば、他の色の組み合わせであってもよい。
【００４７】
本実施形態に係る駆動電極ＣＯＭＬは、液晶表示部２０の駆動電極として機能するとともに、タッチ検出デバイス３０の駆動電極としても機能する。図１１は、実施形態１に係るタッチ検出機能付き表示装置を実装したモジュールにおいて、駆動電極と、画素信号線と、画素電極との関係を説明する断面の模式図である。図１２は、実施形態１に係るタッチ検出機能付き表示装置を実装したモジュールにおいて、駆動電極と、画素信号線と、画素との関係を説明する模式図である。図１３は、実施形態１に係るタッチ検出機能付き表示部の駆動電極及びタッチ検出電極の一構成例を表す斜視図である。図１１に示すように、駆動電極ＣＯＭＬは、ＴＦＴ基板２１の表面に対する垂直方向において、画素電極２２に対向している。図１１及び図１２に示すように、一つの駆動電極ＣＯＭＬが３つの画素電極２２（３列を構成する画素電極２２）に対応するように配置されている。絶縁層２４は、画素電極２２と駆動電極ＣＯＭＬとを絶縁するとともに、画素電極２２とＴＦＴ基板２１の表面に形成された画素信号線ＳＧＬとを絶縁する。
【００４８】
また、図１２に示すように、駆動電極ＣＯＭＬは、上述した画素信号線ＳＧＬが延在する方向と平行な方向に延在している。駆動電極ＣＯＭＬは、図示しない導電性を有するコンタクト導電柱を介して、駆動電極ドライバ１４から駆動電極ＣＯＭＬに交流矩形波形の駆動信号Ｖｃｏｍが印加されるようになっている。画素Ｐｉｘは、上述した図１０に示す各副画素ＳＰｉｘにＲ、Ｇ、Ｂの３色の色領域３２Ｒ、３２Ｇ、３２Ｂが割り当てられている。そして、図１２に示すように、隣り合う画素Ｐｉｘの間に、隣り合う駆動電極ＣＯＭＬの隙間が位置している。このように、駆動電極ＣＯＭＬは、カラーフィルタ３２の赤（Ｒ）の色領域３２Ｒ、緑（Ｇ）の色領域３２Ｇ及び青（Ｂ）の色領域３２Ｂを一組とする画素Ｐｉｘごとに、並列に延在している。これにより、隣り合う駆動電極ＣＯＭＬの隙間は、画素Ｐｉｘ単位で周期的に配列されるため、隣り合う駆動電極ＣＯＭＬの隙間に伴うスジが人間に認識されてしまう可能性を低減できる。
【００４９】
一般に、カラーフィルタ３２では、緑（Ｇ）の色領域３２Ｇの輝度が、赤（Ｒ）の色領域３２Ｒ及び青（Ｂ）の色領域３２Ｂの輝度よりも高い。また、駆動電極ＣＯＭＬは、ＩＴＯ（Indium  Tin  Oxide）等の透明導電材料（透明導電酸化物）で形成される透明電極である。駆動電極ＣＯＭＬは、透明ではあるが、隣り合う駆動電極ＣＯＭＬの隙間はスジとして人間の目に認識されやすい。このため、実施形態１に係るタッチ検出機能付き表示装置１では、相対的に輝度の低い赤（Ｒ）の色領域３２Ｒ及び青（Ｂ）の色領域３２Ｂの間に、隣り合う駆動電極ＣＯＭＬの隙間が位置している。これにより、隣り合う駆動電極ＣＯＭＬの隙間は、画素Ｐｉｘ単位で周期的に配列されるため、隣り合う駆動電極ＣＯＭＬの隙間に伴うスジが人間に認識されてしまう可能性を低減できる。また、実施形態１に係るタッチ検出機能付き表示装置１では、赤（Ｒ）の色領域３２Ｒ及び青（Ｂ）の色領域３２Ｂよりも輝度の高い緑（Ｇ）の色領域３２Ｇの開口率が維持される。
【００５０】
図１３は、タッチ検出デバイス３０の一構成例を斜視的に表すものである。図１４は、実施形態１に係る駆動電極ドライバの一動作例を表す模式図である。タッチ検出デバイス３０は、駆動電極ＣＯＭＬ及びタッチ検出電極ＴＤＬにより構成されている。また、駆動電極ＣＯＭＬは、一方向に延在する複数のストライプ状の電極パターンから構成されている。タッチ検出動作を行う際は、各電極パターンには、駆動電極ドライバ１４によって駆動信号Ｖｃｏｍが順次供給され、後述するように時分割的に線順次走査駆動が行われるようになっている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、タッチ検出部４０のアナログＬＰＦ部４２の入力にそれぞれ接続されている。駆動電極ＣＯＭＬとタッチ検出電極ＴＤＬの互いに交差した電極パターンは、その交差部分に静電容量を生じさせている。
【００５１】
この構成により、タッチ検出デバイス３０では、タッチ検出動作を行う際、駆動電極ドライバ１４が駆動電極ＣＯＭＬを駆動電極ブロックとして時分割的に順次走査するように駆動する。これにより、スキャン方向Ｓｃａｎに駆動電極ＣＯＭＬの１検出ブロックが順次選択され、タッチ検出デバイス３０は、タッチ検出電極ＴＤＬからタッチ検出信号Ｖｄｅｔを出力する。このようにタッチ検出デバイス３０は、１検出ブロックのタッチ検出が行われるようになっている。タッチ検出デバイス３０において、図１４に示す駆動電極ブロックＴｘ１から駆動電極ブロックＴｘｉの各々が、上述したタッチ検出の基本原理における駆動電極Ｅ１に対応する。タッチ検出デバイス３０において、タッチ検出電極ＴＤＬの検出ブロックＲｘ１〜Ｒｘｑの各々が、タッチ検出電極Ｅ２に対応する。タッチ検出デバイス３０は、上述した基本原理に従ってタッチを検出するようになっている。そして、図１３に示すように、互いに立体交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００５２】
ここで、ＴＦＴ基板２１は、本開示における「基板」の一具体例に対応する。画素電極２２は、本開示における「画素電極」の一具体例に対応する。画素信号線ＳＧＬは、本開示における「信号線」の一具体例に対応する。駆動電極ＣＯＭＬは、本開示における「駆動電極」の一具体例に対応する。液晶素子ＬＣは、本開示における「表示機能層」の一具体例に対応する。ソースドライバ１３及び駆動電極ドライバ１４は、本開示における「走査駆動部」の一具体例に対応する。タッチ検出電極ＴＤＬは、本開示における「タッチ検出電極」に対応する。カラーフィルタ３２は、本開示における「カラーフィルタ」に対応する。
【００５３】
［動作及び作用］
続いて、実施形態１のタッチ検出機能付き表示装置１の動作及び作用について説明する。図１５は、実施形態１に係る表示動作期間とタッチ検出動作期間との関係を表す模式図である。
【００５４】
駆動電極ＣＯＭＬは、液晶表示部２０の駆動電極として機能するとともに、タッチ検出デバイス３０の駆動電極としても機能するため、駆動信号Ｖｃｏｍが互いに影響を及ぼす可能性がある。このため、駆動電極ＣＯＭＬは、表示動作を行う表示動作期間Ｐｄと、タッチ検出動作を行うタッチ検出動作期間Ｐｔとに分けて駆動信号Ｖｃｏｍが印加される。駆動電極ドライバ１４は、表示動作を行う表示動作期間Ｐｄにおいては表示駆動信号として駆動信号Ｖｃｏｍを印加する。そして、駆動電極ドライバ１４は、タッチ検出動作を行うタッチ検出動作期間Ｐｔにおいてはタッチ駆動信号として駆動信号Ｖｃｏｍを印加する。以下の説明では、表示用の駆動信号としての駆動信号Ｖｃｏｍを、表示駆動信号Ｖｃｏｍｄとして記載し、タッチ検出用の駆動信号としての駆動信号Ｖｃｏｍを、タッチ駆動信号Ｖｃｏｍｔとして記載することがある。
【００５５】
（全体動作概要）
制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらがお互いに同期して動作するように制御する。ゲートドライバ１２は、図１５に示す表示動作期間Ｐｄにおいて、液晶表示部２０に走査信号Ｖｓｃａｎを供給し、表示駆動の対象となる１水平ラインを順次選択する。ソースドライバ１３は、表示動作期間Ｐｄにおいて、ゲートドライバ１２により選択された１水平ラインを構成する各画素Ｐｉｘに、画素信号Ｖｐｉｘを供給する。
【００５６】
駆動電極ドライバ１４は、表示動作期間Ｐｄでは、１水平ラインに係る駆動電極ブロックＴｘ１から駆動電極ブロックＴｘｉに表示駆動信号Ｖｃｏｍｄを印加する。タッチ検出動作期間Ｐｔでは、タッチ検出動作に係る駆動電極ブロックＴｘ１に対して表示駆動信号Ｖｃｏｍｄよりも周波数の高いタッチ駆動信号Ｖｃｏｍｔを順次印加し、１検出ブロックを順次選択する。タッチ検出機能付き表示部１０は、表示動作期間Ｐｄにおいて、ゲートドライバ１２、ソースドライバ１３、及び駆動電極ドライバ１４により供給された信号に基づいて表示動作を行う。タッチ検出機能付き表示部１０は、タッチ検出動作期間Ｐｔにおいて、駆動電極ドライバ１４により供給されたタッチ駆動信号Ｖｃｏｍｔに基づいてタッチ検出動作を行い、タッチ検出電極ＴＤＬからタッチ検出信号Ｖｄｅｔを出力する。タッチ検出信号増幅部４２は、タッチ検出信号Ｖｄｅｔを増幅して出力する。Ａ／Ｄ変換部４３は、タッチ駆動信号Ｖｃｏｍｔに同期したタイミングで、タッチ検出信号増幅部４２から出力されるアナログ信号をデジダル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチパネル座標を求め、タッチパネル座標を信号出力Ｖｏｕｔとして出力する。
【００５７】
（詳細動作）
次に、タッチ検出機能付き表示装置１の詳細動作を説明する。液晶表示部２０は、ゲートドライバ１２から供給される走査信号Ｖｓｃａｎに従って、走査信号線ＧＣＬのうちの、隣接する走査信号線ＧＣＬを１水平ラインずつ順次走査して表示を行う。同様に、駆動電極ドライバ１４は、制御部１１から供給される制御信号に基づいて、タッチ検出機能付き表示部１０の、駆動電極ＣＯＭＬのうちの、図１４に示す隣接する駆動電極ブロックＴｘ１列目、駆動電極ブロックＴｘ２列目、・・・、駆動電極ブロックＴｘｉ列目の順に駆動信号Ｖｃｏｍを駆動電極ＣＯＭＬに供給する。
【００５８】
タッチ検出機能付き表示装置１では、１表示水平期間１ＳＦごとに、タッチ検出動作（タッチ検出動作期間Ｐｔ）と表示動作（表示期間Ｐｄ）とに分けて、時分割的に駆動電極ＣＯＭＬに駆動信号Ｖｃｏｍ（表示駆動信号Ｖｃｏｍｄ及びタッチ駆動信号Ｖｃｏｍｔ）を供給する。フレーム期間１Ｆは、表示駆動の対象となる液晶表示部２０の表示面の全水平ラインを選択して経過する期間である。図１４及び図１５に示すように、タッチ検出動作では、フレーム期間１Ｆ経過後、１表示水平期間１ＳＦごとに、駆動電極ブロックＴｘ１から駆動電極ブロックＴｘｉの異なる駆動電極ＣＯＭＬを選択してタッチ駆動信号Ｖｃｏｍｔの矩形波を印加することにより、タッチ検出の走査を行う。
【００５９】
例えば、図１４に示すように、２番目の１表示水平期間１ＳＦでは、駆動電極ブロックＴｘ１から駆動電極ブロックＴｘｉのうち駆動電極ブロックＴｘ２が、選択された駆動電極ブロックＳｔｘとなり、図１５に示すように、２番目のタッチ検出動作期間Ｐｔにタッチ駆動信号Ｖｃｏｍｔの矩形波が供給される。このとき、図８に示す駆動信号セレクタ部１４Ｓは、スイッチ制御信号ＳＥＬに応じて、駆動電極ブロックＳｔｘとなる駆動電極ＣＯＭＬと、基板に対して垂直な方向に対向する画素信号線ＳＧＬとの両方に、同じタッチ駆動信号Ｖｃｏｍｔの矩形波を供給する。
【００６０】
そして、駆動電極ブロックＴｘ１、及び駆動電極ブロックＴｘ３からＴｘｉが、選択されていない駆動電極ブロックＮｔｘとなっており、選択されていない駆動電極ブロックＮｔｘの駆動電極ＣＯＭＬの電位がＧＮＤに固定される。また、駆動電極ブロックＮｔｘとなる駆動電極ＣＯＭＬと、基板に対して垂直な方向に対向する画素信号線ＳＧＬの電位もＧＮＤに固定される。
【００６１】
この動作は、図１４に示すように、駆動電極ブロックＴｘ１から駆動電極ブロックＴｘｉまで順次繰り返される。これにより、タッチ検出機能付き表示装置１は、表示面全面にわたる走査により表示動作を行うとともに、タッチ検出面全面にわたる走査によりタッチ検出動作を行う。
【００６２】
以上説明したように、タッチ検出機能付き表示装置１は、表示期間ｐｄにおいて、駆動電極ＣＯＭＬに対して表示駆動信号Ｖｃｏｍｄを印加するとともに、画素信号線ＳＧＬに、画素電極に画像を表示するための画素信号Ｖｐｉｘを供給する。また、タッチ検出機能付き表示装置１は、タッチ検出動作期間ｐｔにおいて、駆動電極ＣＯＭＬに対してタッチ駆動信号Ｖｃｏｍｔを印加するとともに、タッチ駆動信号Ｖｃｏｍｔを印加した駆動電極ＣＯＭＬと上述した垂直方向に重なり合うように対向する画素信号線ＳＧＬにタッチ駆動信号Ｖｃｏｍｔを供給する。タッチ検出動作期間ｐｔにおいて、駆動電極ＣＯＭＬと画素信号線ＳＧＬとが立体交差していると、駆動電極ＣＯＭＬと画素信号線ＳＧＬとの間の寄生容量が大きくなり、駆動電極ＣＯＭＬの充放電に時間がかかる可能性がある。実施形態１の駆動電極ＣＯＭＬは、図１２に示すように、上述した画素信号線ＳＧＬが延在する方向と平行な方向に延在している。このため、駆動電極ドライバ１４は、タッチ駆動信号Ｖｃｏｍｔを印加した駆動電極ＣＯＭＬと、駆動電極ＣＯＭＬとＴＦＴ基板２１に垂直な方向において重なり合う画素信号線ＳＧＬと、の両方に同じタッチ駆動信号Ｖｃｏｍｔの矩形波を供給することができる。その結果、タッチ検出機能付き表示装置１は、駆動電極ＣＯＭＬと画素信号線ＳＧＬとの間の寄生容量が５０％程度低減される。
【００６３】
［効果］
以上のように、タッチ検出機能付き表示装置１は、駆動電極ＣＯＭＬと画素信号線ＳＧＬとの間の寄生容量が抑制されると、タッチ検出の消費電力を抑制することができる。このため、タッチ検出部４０に供給する電力を抑制できることから、ドライバＩＣを小型化することができる。その結果、実施形態１のタッチ検出機能付き表示装置１を備える電子機器を小型化することができる。
【００６４】
また、実施形態１に係るタッチ検出機能付き表示装置１は、駆動電極ＣＯＭＬと画素信号線ＳＧＬとの間の寄生容量が抑制されると、充放電の影響を抑えることができる。このため、タッチ駆動信号Ｖｃｏｍｔの矩形波の周波数を高周波化することができる。その結果、実施形態１に係るタッチ検出機能付き表示装置１は、ＡＣ電源に起因するような低周波ノイズの影響を抑制することができる。また、実施形態１に係るタッチ検出機能付き表示装置１は、駆動電極ＣＯＭＬへ供給するタッチ駆動信号Ｖｃｏｍｔの矩形波の周波数を高め、タッチ検出を短時間で検出できるようになる。これにより、実施形態１に係るタッチ検出機能付き表示装置１は、タッチ検出デバイス３０の面積を大画面化または高精細化しても、対応することができる。また、実施形態１に係るタッチ検出機能付き表示装置１は、駆動電極ＣＯＭＬと画素信号線ＳＧＬとの距離が短くなっても、駆動電極ＣＯＭＬと画素信号線ＳＧＬとの間の寄生容量が低減できているので、タッチ検出機能付き表示部１０を薄型化することができる。
【００６５】
［実施形態１の変形例］
図１６は、実施形態１の変形例に係るタッチ検出機能付き表示装置を実装したモジュールにおいて、駆動電極と、画素信号線と、画素との関係を説明する模式図である。上述したように、駆動電極ＣＯＭＬは、透明ではあるが、隣り合う駆動電極ＣＯＭＬの隙間はスジとして人間の目に認識されやすい。このため、実施形態１の変形例に係るタッチ検出機能付き表示装置１は、相対的に輝度の低い赤（Ｒ）の色領域３２Ｒ及び青（Ｂ）の色領域３２Ｂの間に、隣り合う駆動電極ＣＯＭＬの隙間が位置している。このため、赤（Ｒ）の色領域３２Ｒ及び青（Ｂ）の色領域３２Ｂの開口率が低下する可能性がある。例えば、実施形態１の変形例に係るタッチ検出機能付き表示装置１では、図１６に示すように、赤（Ｒ）の色領域３２Ｒ及び青（Ｂ）の色領域３２Ｂの間にある画素信号線ＳＧＬ間の長さをＬｓ、駆動電極ＣＯＭＬの延在方向と直交する幅の長さをＬｃとする。そして、実施形態１の変形例に係るタッチ検出機能付き表示装置１は、図１６に示すように、上述したＴＦＴ基板２１の表面と垂直な方向にみて、カラーフィルタ３２の、赤（Ｒ）の色領域３２Ｒ、緑（Ｇ）の色領域３２Ｇ及び青（Ｂ）の色領域３２Ｂに重なり合う、図１０に示す副画素ＳＰｉｘを介して配置される画素信号線ＳＧＬ間の長さを、それぞれ幅Δｒ、幅Δｇ、幅Δｂとする。
【００６６】
相対的に輝度の低い赤（Ｒ）の色領域３２Ｒ及び青（Ｂ）の色領域３２Ｂの間に、隣り合う駆動電極ＣＯＭＬの隙間が位置している。このため、赤（Ｒ）の色領域３２Ｒ及び青（Ｂ）の色領域３２Ｂよりも輝度の高い緑（Ｇ）の色領域３２Ｇの開口率が維持される。そして、幅Δｇよりも幅Δｒ、幅Δｂを大きくしておくことにより、赤（Ｒ）の色領域３２Ｒ及び青（Ｂ）の色領域３２Ｂの開口率を向上させることができる。実施形態１の変形例に係るタッチ検出機能付き表示装置１では、カラーフィルタ３２の赤（Ｒ）の色領域３２Ｒ及び青（Ｂ）の色領域３２Ｂが緑（Ｇ）の色領域３２Ｇを挟むように配列されており、赤（Ｒ）の色領域３２Ｒ及び青（Ｂ）の色領域３２Ｂの延在方向と直交する方向のそれぞれの幅は、緑（Ｇ）の色領域３２Ｇの延在方向と直交する方向の幅よりも狭くなる。これにより、実施形態１の変形例に係るタッチ検出機能付き表示装置１は、赤（Ｒ）、緑（Ｇ）、青（Ｂ）の３色に着色されたカラーフィルタ３２の色領域３２Ｒ、３２Ｇ及び３２Ｂの透過率を同等にすることができる。例えば、幅Δｒ、幅Δｂは、幅Δｇよりも（（長さＬｓ−長さＬｃ）／２）程度大きくすることができる。
【００６７】
そして、実施形態１の変形例に係るタッチ検出機能付き表示装置１では、隣り合う駆動電極ＣＯＭＬの隙間となる長さは、画素Ｐｉｘ単位で周期的に配列されるため、隣り合う駆動電極ＣＯＭＬの隙間に伴うスジが人間に認識されてしまう可能性を低減できる。
【００６８】
＜１−２．実施形態２＞
次に、実施形態２に係るタッチ検出機能付き表示装置１について説明する。図１７は、実施形態２に係るタッチ検出機能付き表示装置を実装したモジュールにおいて、駆動電極と、画素信号線と、画素電極との関係を説明する断面の模式図である。図１８は、実施形態２に係るタッチ検出機能付き表示装置を実装したモジュールにおいて、駆動電極と、画素信号線と、画素との関係を説明する模式図である。なお、上述した実施形態１で説明したものと同じ構成要素には同一の符号を付して重複する説明は省略する。
【００６９】
図１７に示すように、駆動電極ＣＯＭＬは、ＴＦＴ基板２１の表面に対する垂直方向において、画素電極２２に対向している。図１７及び図１８に示すように、一つの駆動電極ＣＯＭＬが３つの画素電極２２（３列を構成する画素電極２２）に対応するように配置されている。
【００７０】
また、図１８に示すように、駆動電極ＣＯＭＬは、上述した画素信号線ＳＧＬが延在する方向と平行な方向に延在している。画素Ｐｉｘは、上述した図１０に示す各副画素ＳＰｉｘにＲ、Ｇ、Ｂの３色の色領域３２Ｒ、３２Ｇ、３２Ｂが割り当てられている。そして、図１８に示すように、隣り合う画素Ｐｉｘの間に、隣り合う駆動電極ＣＯＭＬの隙間が位置している。隣り合う駆動電極ＣＯＭＬの隙間と、この隙間とＴＦＴ基板２１の表面に対する垂直な方向において対向する画素信号線ＳＧＬとの間にある絶縁層２４には、金属補助配線ＭＬが配置されている。金属補助配線ＭＬは、画素信号線ＳＧＬが延在する方向と平行な方向に延在している。金属補助配線ＭＬ及び駆動電極ＣＯＭＬは、図示しない導電性を有するコンタクト導電柱を介して、駆動電極ドライバ１４から駆動電極ＣＯＭＬ及び金属補助配線ＭＬに交流矩形波形の駆動信号Ｖｃｏｍが印加されるようになっている。
【００７１】
駆動電極ＣＯＭＬと画素信号線ＳＧＬとに同じタッチ駆動信号Ｖｃｏｍｔの矩形波が供給された場合、金属補助配線ＭＬの電位が駆動電極ＣＯＭＬ及び画素信号線ＳＧＬと同電位となることにより、液晶層６への電位変化を抑制し、透過ロスが低減される。
【００７２】
［実施形態２の変形例］
図１９は、実施形態２の変形例に係るタッチ検出機能付き表示装置を実装したモジュールにおいて、駆動電極と、画素信号線と、画素電極との関係を説明する断面の模式図である。図２０は、実施形態２の変形例に係るタッチ検出機能付き表示装置を実装したモジュールにおいて、駆動電極と、画素信号線と、画素との関係を説明する模式図である。なお、上述した実施形態１で説明したものと同じ構成要素には同一の符号を付して重複する説明は省略する。
【００７３】
図１９に示すように、駆動電極ＣＯＭＬは、ＴＦＴ基板２１の表面に対する垂直方向において、画素電極２２に対向している。図１９及び図２０に示すように、一つの駆動電極ＣＯＭＬが３つの画素電極２２（３列を構成する画素電極２２）に対応するように配置されている。
【００７４】
また、図２０に示すように、駆動電極ＣＯＭＬは、上述した画素信号線ＳＧＬが延在する方向と平行な方向に延在している。画素Ｐｉｘは、上述した図１０に示す各副画素ＳＰｉｘにＲ、Ｇ、Ｂの３色の色領域３２Ｒ、３２Ｇ、３２Ｂが割り当てられている。そして、図２０に示すように、隣り合う画素Ｐｉｘの間に、隣り合う駆動電極ＣＯＭＬの隙間が位置している。隣り合う駆動電極ＣＯＭＬの隙間寄りの駆動電極ＣＯＭＬの縁部には金属補助配線ＭＬが積層されている。この金属補助配線ＭＬは、画素信号線ＳＧＬが延在する方向と平行な方向に延在している。そして、金属補助配線ＭＬは、画素信号線ＳＧＬの一つとＴＦＴ基板２１の表面に対する垂直な方向において対向する。金属補助配線ＭＬ及び駆動電極ＣＯＭＬは、図示しない導電性を有するコンタクト導電柱を介して、駆動電極ドライバ１４から駆動電極ＣＯＭＬ及び金属補助配線ＭＬに交流矩形波形の駆動信号Ｖｃｏｍが印加されるようになっている。
【００７５】
駆動電極ＣＯＭＬと画素信号線ＳＧＬとに同じタッチ駆動信号Ｖｃｏｍｔの矩形波が供給された場合、金属補助配線ＭＬの電位が駆動電極ＣＯＭＬ及び画素信号線ＳＧＬと同電位となることにより、液晶層６への電位変化を抑制し、透過ロスが低減される。また、金属補助配線ＭＬは、駆動電極ＣＯＭＬよりも低抵抗な金属、アルミニウム（Ａｌ）、銅（Ｃｕ）、金（Ａｕ）及びこれらの合金の１つ以上を使用することができる。このため、実施形態２の変形例に係るタッチ検出機能付き表示装置１は、駆動電極ＣＯＭＬの電圧降下の影響を受けにくくなり、画面の大型化に対応することができる。
【００７６】
［効果］
以上のように実施形態２及び変形例に係るタッチ検出機能付き表示装置１では、駆動電極ＣＯＭＬと画素信号線ＳＧＬとの間の寄生容量が抑制される。これにより、タッチ検出機能付き表示装置１は、タッチ検出の消費電力を抑制することができる。このため、タッチ検出部４０に供給する電力を抑制できることから、ドライバＩＣを小型化することができる。その結果、実施形態２及び変形例のタッチ検出機能付き表示装置１を備える電子機器を小型化することができる。
【００７７】
また、実施形態２及び変形例に係るタッチ検出機能付き表示装置１は、金属補助配線ＭＬと、駆動電極ＣＯＭＬと、画素信号線ＳＧＬとの間の寄生容量が抑制されると、充放電の影響を抑えることができる。このため、タッチ駆動信号Ｖｃｏｍｔの矩形波の周波数を高周波化することができる。その結果、実施形態２及び変形例に係るタッチ検出機能付き表示装置１は、ＡＣ電源に起因するような低周波ノイズの影響を抑制することができる。また、実施形態２及び変形例に係るタッチ検出機能付き表示装置１は、金属補助配線ＭＬ及び駆動電極ＣＯＭＬへ供給するタッチ駆動信号Ｖｃｏｍｔの矩形波の周波数を高め、タッチ検出を短時間で検出できるようになる。これにより、実施形態２及び変形例に係るタッチ検出機能付き表示装置１は、タッチ検出デバイス３０の面積を大画面化または高精細化しても、対応することができる。また、実施形態２及び変形例に係るタッチ検出機能付き表示装置１は、駆動電極ＣＯＭＬと画素信号線ＳＧＬとの距離が短くなっても、駆動電極ＣＯＭＬと画素信号線ＳＧＬとの間の寄生容量が低減できているので、タッチ検出機能付き表示部１０を薄型化することができる。
【００７８】
＜１−３．実施形態３＞
次に、実施形態３に係るタッチ検出機能付き表示装置１Ａについて説明する。図２１は、実施形態３に係るタッチ検出機能付き表示装置を実装したモジュールの一例を示す図である。図２２は、実施形態３に係るタッチ検出機能付き表示装置を実装したモジュールにおいて、駆動電極と、画素信号線との関係を説明する模式図である。なお、上述した実施形態１及び実施形態２で説明したものと同じ構成要素には同一の符号を付して重複する説明は省略する。
【００７９】
図２１は、上述したＴＦＴ基板２１の表面に対する垂直方向において、このタッチ検出機能付き表示部１０における、駆動電極ＣＯＭＬと、駆動電極ＣＯＭＬと立体交差するように形成されたゲートドライバ１２に接続される走査信号線ＧＣＬとを模式的に示している。また、図２１は、ＴＦＴ基板２１の表面に対する垂直方向において、タッチ検出機能付き表示部１０における、駆動電極ＣＯＭＬと、駆動電極ＣＯＭＬと交差せず平行な方向に延びるように形成された画素信号線ＳＧＬとを模式的に示している。駆動信号セレクタ部１４Ｓ１、１４Ｓ２は、駆動電極ＣＯＭＬの延在方向の両端を挟むように配置されている。
【００８０】
図２２に示すように、タッチ検出機能付き表示装置１Ａでは、画素信号線ＳＧＬが、ソースセレクタ部１３Ｓ１、１３Ｓ２を介してＣＯＧ１９に内蔵したソースドライバ１３に接続されている。ソースセレクタ部１３Ｓ１、１３Ｓ２は、画素信号線ＳＧＬの延在方向両端を挟むように配置されている。ソースセレクタ部１３Ｓ１は、スイッチ制御信号ＳＥＬＣに応じて開閉動作する。ソースセレクタ部１３Ｓ２は、スイッチ制御信号ＳＥＬに応じて開閉動作する。駆動信号セレクタ部１４Ｓ１と、駆動電極ドライバ１４を含むＣＯＧ１９側の駆動信号セレクタ部１４Ｓ２とは、駆動電極ＣＯＭＬの延在方向の両端を挟むように配置されている。駆動信号セレクタ部１４Ｓ１、１４Ｓ２は、スイッチ制御信号ＳＥＬＣに応じて開閉動作する。実施形態３に係るタッチ検出機能付き表示装置１Ａは、スイッチ制御信号ＳＥＬＣに応じて駆動電極ＣＯＭＬと画素信号線ＳＧＬとの間の電気的接続を開閉する駆動電極信号線間セレクタスイッチＳＷを備えている。タッチ検出機能付き表示装置１Ａでは、駆動電極ＣＯＭＬが、ＣＯＧ１９に内蔵した駆動電極ドライバ１４に、接続されている。カラーフィルタ３２は、赤（Ｒ）、緑（Ｇ）、青（Ｂ）の３色に着色された色領域３２Ｒ、３２Ｇ、３２Ｂを含む。カラーフィルタ３２は、ＴＦＴ基板２１と垂直な方向において、駆動電極ＣＯＭＬと対向しており、ＴＦＴ基板２１の表面と垂直な方向にみて重なり合う。
【００８１】
実施形態３の駆動電極ＣＯＭＬは、図２２に示すように、上述した画素信号線ＳＧＬが延在する方向と平行な方向に延在している。例えば、タッチ検出機能付き表示装置１Ａでは、表示期間ｐｄにおいて、スイッチ制御信号ＳＥＬＣに応じて駆動電極信号線間セレクタスイッチＳＷが駆動電極ＣＯＭＬと画素信号線ＳＧＬとを非接続とし、駆動電極ＣＯＭＬに対して表示駆動信号Ｖｃｏｍｄを印加する。また、タッチ検出機能付き表示装置１Ａでは、表示期間ｐｄにおいて、ソースセレクタ部１３Ｓ１、１３Ｓ２の一方がスイッチ制御信号ＳＥＬＣに応じて開動作し、ソースセレクタ部１３Ｓ１、１３Ｓ２の他方がスイッチ制御信号ＳＥＬに応じて開閉動作することで、画素信号線ＳＧＬに画素電極に画像を表示するための画素信号Ｖｐｉｘを供給する。これにより、ソースセレクタ部１３Ｓ１、１３Ｓ２は、画素信号線ＳＧＬの短絡を抑制することができる。
【００８２】
また、タッチ検出機能付き表示装置１Ａでは、タッチ検出動作期間ｐｔにおいて、スイッチ制御信号ＳＥＬＣに応じて駆動電極信号線間セレクタスイッチＳＷが駆動電極ＣＯＭＬと画素信号線ＳＧＬとを接続する。そして、タッチ検出機能付き表示装置１Ａは、駆動電極ＣＯＭＬに対してタッチ駆動信号Ｖｃｏｍｔを印加するとともに、タッチ駆動信号Ｖｃｏｍｔを印加した駆動電極ＣＯＭＬと上述した垂直方向に重なり合うように対向する画素信号線ＳＧＬにタッチ駆動信号Ｖｃｏｍｔを供給する。このため、駆動電極ドライバ１４は、駆動電極ＣＯＭＬ及び画素信号線ＳＧＬの延在方向の両端から、駆動電極ＣＯＭＬと画素信号線ＳＧＬとに同じタッチ駆動信号Ｖｃｏｍｔの矩形波を供給することができる。
【００８３】
［効果］
以上のように実施形態３に係るタッチ検出機能付き表示装置１Ａは、駆動電極ＣＯＭＬ及び画素信号線ＳＧＬの延在方向の両端から、駆動電極ＣＯＭＬと画素信号線ＳＧＬとに同じタッチ駆動信号Ｖｃｏｍｔの矩形波を供給するので、電圧降下を抑制し、タッチ検出機能付き表示部１０を、大画面化または高精細化することができる。
【００８４】
＜１−４．実施形態４＞
次に、実施形態４に係るタッチ検出機能付き表示装置１Ｂについて説明する。図２３は、実施形態４に係るタッチ検出機能付き表示装置を実装したモジュールにおいて、駆動電極と、画素信号線との関係を説明する模式図である。なお、上述した実施形態１及び実施形態２で説明したものと同じ構成要素には同一の符号を付して重複する説明は省略する。
【００８５】
図２３は、上述したＴＦＴ基板２１の表面に対する垂直方向において、このタッチ検出機能付き表示部１０における、駆動電極ＣＯＭＬと、駆動電極ＣＯＭＬと立体交差するように形成されたゲートドライバ１２に接続される走査信号線ＧＣＬとを模式的に示している。また、図２３は、ＴＦＴ基板２１の表面に対する垂直方向において、タッチ検出機能付き表示部１０における、駆動電極ＣＯＭＬと、駆動電極ＣＯＭＬと交差せず平行な方向に延びるように形成された画素信号線ＳＧＬとを模式的に示している。
【００８６】
図２３に示すように、タッチ検出機能付き表示装置１Ｂは、画素信号線ＳＧＬが、ソースセレクタ部１３Ｓを介してＣＯＧ１９に内蔵したソースドライバ１３に接続されている。ソースセレクタ部１３Ｓは、スイッチ制御信号ＳＥＬに応じて開閉動作する。駆動信号セレクタ部１４Ｓもスイッチ制御信号ＳＥＬＣに応じて開閉動作する。実施形態４に係るタッチ検出機能付き表示装置１Ｂは、スイッチ制御信号ＳＥＬＣに応じて駆動電極ＣＯＭＬと画素信号線ＳＧＬとの間の電気的接続を開閉する駆動電極信号線間セレクタスイッチＳＷを備えている。タッチ検出機能付き表示装置１Ｂでは、駆動電極ＣＯＭＬが、ＣＯＧ１９に内蔵した駆動電極ドライバ１４に、接続されている。カラーフィルタ３２は、赤（Ｒ）、緑（Ｇ）、青（Ｂ）の３色に着色された色領域３２Ｒ、３２Ｇ、３２Ｂを含む。カラーフィルタ３２は、ＴＦＴ基板２１と垂直な方向において、駆動電極ＣＯＭＬと対向しており、ＴＦＴ基板２１の表面と垂直な方向にみて重なり合う。
【００８７】
実施形態４の駆動電極ＣＯＭＬでは、図２３に示すように、上述した画素信号線ＳＧＬが延在する方向と平行な方向に延在している。例えば、タッチ検出機能付き表示装置１Ｂは、表示期間ｐｄにおいて、スイッチ制御信号ＳＥＬＣに応じて駆動電極信号線間セレクタスイッチＳＷを駆動して駆動電極ＣＯＭＬと画素信号線ＳＧＬとを非接続とし、駆動電極ＣＯＭＬに対して表示駆動信号Ｖｃｏｍｄを印加するとともに、画素信号線ＳＧＬに対して、画素電極に画像を表示するための画素信号Ｖｐｉｘを供給する。また、タッチ検出機能付き表示装置１Ｂは、タッチ検出動作期間ｐｔにおいて、スイッチ制御信号ＳＥＬＣに応じて駆動電極信号線間セレクタスイッチＳＷを駆動して駆動電極ＣＯＭＬと画素信号線ＳＧＬとを接続する。そして、タッチ検出機能付き表示装置１Ｂは、駆動電極ＣＯＭＬに対してタッチ駆動信号Ｖｃｏｍｔを印加するとともに、タッチ駆動信号Ｖｃｏｍｔを印加した駆動電極ＣＯＭＬと上述した垂直方向に重なり合うように対向する画素信号線ＳＧＬに対してタッチ駆動信号Ｖｃｏｍｔを供給する。このため、駆動電極ドライバ１４は、駆動電極ＣＯＭＬと画素信号線ＳＧＬとに同じタッチ駆動信号Ｖｃｏｍｔの矩形波を供給することができる。
【００８８】
［効果］
以上のように実施形態４に係るタッチ検出機能付き表示装置１Ｂは、駆動電極ＣＯＭＬと画素信号線ＳＧＬとの間の寄生容量が抑制されると、タッチ検出の消費電力を抑制することができる。このため、タッチ検出部４０に供給する電力を抑制できることから、ドライバＩＣを小型化することができる。その結果、実施形態４のタッチ検出機能付き表示装置１Ｂを備える電子機器を小型化することができる。
【００８９】
また、実施形態４に係るタッチ検出機能付き表示装置１Ｂは、駆動電極ＣＯＭＬと画素信号線ＳＧＬとの間の寄生容量が抑制されると、充放電の影響を抑えることができる。このため、タッチ駆動信号Ｖｃｏｍｔの矩形波の周波数を高周波化することができる。その結果、実施形態４に係るタッチ検出機能付き表示装置１Ｂは、ＡＣ電源に起因するような低周波ノイズの影響を抑制することができる。また、実施形態４に係るタッチ検出機能付き表示装置１Ｂは、駆動電極ＣＯＭＬへ供給するタッチ駆動信号Ｖｃｏｍｔの矩形波の周波数を高め、タッチ検出を短時間で検出できるようになる。これにより、実施形態４に係るタッチ検出機能付き表示装置１Ｂは、タッチ検出デバイス３０の面積を大画面化または高精細化しても、対応することができる。また、実施形態４に係るタッチ検出機能付き表示装置１Ｂは、駆動電極ＣＯＭＬと画素信号線ＳＧＬとの距離が短くなっても、駆動電極ＣＯＭＬと画素信号線ＳＧＬとの間の寄生容量が低減できているので、タッチ検出機能付き表示部１０を薄型化することができる。
【００９０】
＜１−５．他の実施形態及び変形例＞
以上、いくつかの実施形態及び変形例を挙げて実施形態を説明したが、本開示はこれらの実施形態等には限定されず、種々の変形が可能である。
【００９１】
また、上記の各実施形態及び変形例に係るタッチ検出機能付き表示装置１、１Ａは、ＦＦＳモード、ＩＰＳモード等の各種モードの液晶を用いた液晶表示部２０とタッチ検出デバイス３０とを一体化したタッチ検出機能付き表示部を用いることができる。これに代えて、タッチ検出機能付き表示部１０は、ＴＮ（Twisted  Nematic：ツイステッドネマティック）モード、ＶＡ（Vertical  Alignment：垂直配向）モード、ＥＣＢ（Electrically  Controlled  Birefringence：電界制御複屈折）モード等の各種モードの液晶とタッチ検出デバイスとを一体化したタッチ検出機能付き表示部であってもよい。
【００９２】
例えば、タッチ検出機能付き表示装置１、１Ａは、横電界モードの液晶を用いてもよい。また、上記各実施形態では、液晶表示部２０と静電容量型のタッチ検出デバイス３０とを一体化したいわゆるインセルタイプとしたが、これに限定されるものではなく、これに代えて、例えば液晶表示部２０に静電容量型のタッチ検出デバイス３０を装着したオンセルタイプであってもよい。この場合でも、上述したような構成にすることにより、外部ノイズや、液晶表示部から伝わるノイズ（上記各実施形態における内部ノイズに対応するもの）の影響を抑えつつタッチ検出を行うことができる。
【００９３】
＜２．適用例＞
次に、図２４〜図３５を参照して、実施形態及び変形例で説明したタッチ検出機能付き表示装置１の適用例について説明する。図２４〜図３５は、本実施形態に係るタッチ検出機能付き表示装置を適用する電子機器の一例を示す図である。実施形態１、２、３、４及び変形例に係るタッチ検出機能付き表示装置１は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、実施形態１、２、３、４及び変形例に係るタッチ検出機能付き表示装置１は、外部から入力された映像信号あるいは内部で生成した映像信号を、画像あるいは映像として表示するあらゆる分野の電子機器に適用することが可能である。
【００９４】
（適用例１）
図２４に示す電子機器は、実施形態１、２、３、４及び変形例に係るタッチ検出機能付き表示装置１が適用されるテレビジョン装置である。このテレビジョン装置は、例えば、フロントパネル５１１及びフィルターガラス５１２を含む映像表示画面部５１０を有しており、この映像表示画面部５１０は、実施形態１、２、３、４及び変形例に係るタッチ検出機能付き表示装置である。
【００９５】
（適用例２）
図２５及び図２６に示す電子機器は、実施形態１、２、３、４及び変形例に係るタッチ検出機能付き表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、実施形態１、２、３、４及び変形例に係るタッチ検出機能付き表示装置である。
【００９６】
（適用例３）
図２７に示す電子機器は、実施形態１、２、３、４及び変形例に係るタッチ検出機能付き表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、実施形態１、２、３、４及び変形例に係るタッチ検出機能付き表示装置である。
【００９７】
（適用例４）
図２８に示す電子機器は、実施形態１、２、３、４及び変形例に係るタッチ検出機能付き表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、実施形態１、２、３、４及び変形例に係るタッチ検出機能付き表示装置である。
【００９８】
（適用例５）
図２９〜図３５に示す電子機器は、実施形態１、２、３、４及び変形例に係るタッチ検出機能付き表示装置１が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４またはサブディスプレイ５５５は、実施形態１、２、３、４及び変形例に係るタッチ検出機能付き表示装置である。
【００９９】
＜３．本開示の態様＞
また、本開示は、以下の態様を含む。
（１）
基板と、
前記基板と平行な面上に行列配置された複数の画素電極と、
前記基板の表面と平行な平面に延在し、前記複数の画素電極に画像を表示するための画素信号を供給する複数の信号線と、
前記画素信号に基づいて画像表示機能を発揮する表示機能層と、
前記基板の表面に対する垂直方向において前記複数の画素電極に対向し、前記複数の信号線が延在する方向と平行な方向に延在する複数の駆動電極と、
前記垂直方向において前記複数の駆動電極と対向し、かつ前記複数の信号線が延在する方向とは異なる方向に延在して、前記複数の駆動電極と容量結合する、複数のタッチ検出電極と、
前記複数の駆動電極を走査して前記複数の駆動電極にタッチ検出用のタッチ駆動信号を印加する走査駆動部と、を備え、
前記走査駆動部は、前記タッチ駆動信号を印加した前記駆動電極と前記垂直方向に重なり合うように対向する信号線に前記タッチ駆動信号を印加する、タッチ検出機能付き表示装置。
（２）
前記走査駆動部は、
表示動作期間において、前記複数の駆動電極に対して表示用の表示駆動信号を印加するとともに、前記複数の信号線に前記複数の画素電極に画像を表示するための画素信号を供給し、
タッチ検出動作期間において、前記複数の駆動電極に対して前記タッチ駆動信号を印加するとともに、前記信号線に前記タッチ駆動信号を印加する、前記（１）に記載のタッチ検出機能付き表示装置。
（３）
前記垂直方向において前記表示機能層に対向し、前記画素電極ごとに異なる赤色領域、緑色領域及び青色領域で着色されたカラーフィルタを備え、
前記カラーフィルタの各赤色領域、緑色領域及び青色領域の延在方向は、前記複数の信号線が延在する方向と一致し、
前記複数の駆動電極が、前記カラーフィルタの赤色領域、緑色領域及び青色領域を一組とする画素ごとに、並列に延在している、前記（１）または（２）に記載のタッチ検出機能付き表示装置。
（４）
前記複数の駆動電極は、隣り合う前記駆動電極の間が、前記垂直方向にみて前記カラーフィルタの赤色領域及び青色領域の間に重なるように配列されている、前記（３）に記載のタッチ検出機能付き表示装置。
（５）
前記カラーフィルタの前記赤色領域及び前記青色領域が前記緑色領域を挟むように配列されており、前記赤色領域及び青色領域の延在方向と直交する方向のそれぞれの幅は、前記カラーフィルタの緑色領域の延在方向と直交する方向の幅よりも狭い、前記（４）に記載のタッチ検出機能付き表示装置。
（６）
前記複数の信号線が延在する方向と平行な方向に延在し、隣り合う前記駆動電極の隙間の各々に対して各々配置され、かつ前記垂直方向にみて、各々が前記隙間のうち対応する隙間と前記複数の信号線のうち対応する信号線との間に配置される複数の金属補助配線を備え、
前記走査駆動部は、前記複数の金属補助配線のうち前記タッチ駆動信号を印加した信号線と前記垂直方向に対向する金属補助配線に前記タッチ駆動信号を印加する、前記（２）から（５）のいずれかひとつに記載のタッチ検出機能付き表示装置。
（７）
前記複数の信号線が延在する方向と平行な方向に延在し、かつ透明導電材料の前記複数の駆動電極の各々に各々積層され、前記垂直方向にみて各々が前記複数の信号線のうち対応する信号線と対向する位置に配置される複数の金属補助配線を備える、前記（２）から（５）のいずれかひとつに記載のタッチ検出機能付き表示装置。
（８）
前記複数のタッチ検出電極は、外部近接物体の近接または接触に基づく静電容量の変化を利用してその外部近接物体を検出する、前記（１）から（７）のいずれかひとつに記載のタッチ検出機能付き表示装置。
（９）
外部近接物体を検出可能なタッチ検出機能付き表示装置を備える電子機器であって、
前記タッチ検出機能付き表示装置は、
基板と、
前記基板と平行な面上に行列配置された複数の画素電極と、
前記基板の表面と平行な平面に延在し、前記複数の画素電極に画像を表示するための画素信号を供給する複数の信号線と、
前記画素信号に基づいて画像表示機能を発揮する表示機能層と、
前記基板の表面に対する垂直方向において前記複数の画素電極に対向し、前記複数の信号線が延在する方向と平行な方向に延在する複数の駆動電極と、
前記垂直方向において前記複数の駆動電極と対向し、かつ前記複数の信号線が延在する方向とは異なる方向に延在して、前記複数の駆動電極と容量結合する、複数のタッチ検出電極と、
前記複数の駆動電極を走査して前記複数の駆動電極にタッチ検出用のタッチ駆動信号を印加する走査駆動部と、を備え、
前記走査駆動部は、前記タッチ駆動信号を印加した前記駆動電極と前記垂直方向に重なり合うように対向する信号線に前記タッチ駆動信号を印加する、
電子機器。
【符号の説明】
【０１００】
１  タッチ検出機能付き表示装置
２  画素基板
３  対向基板
６  液晶層
１０  タッチ検出機能付き表示部
１１  制御部
１２  ゲートドライバ
１３  ソースドライバ
１４  駆動電極ドライバ
２０  液晶表示部
２１  ＴＦＴ基板
２２  画素電極
３０  タッチ検出デバイス
３１  ガラス基板
３２  カラーフィルタ
３５  偏光板
４０  タッチ検出部
４２  タッチ検出信号増幅部
４３  Ａ／Ｄ変換部
４４  信号処理部
４５  座標抽出部
４６  検出タイミング制御部
ＣＯＭＬ  駆動電極
ＧＣＬ  走査信号線
ＬＣ  液晶素子
Ｐｄ  表示期間
Ｐｔ  タッチ検出動作期間
Ｐｉｘ  画素
Ｒ  抵抗
ＳＧＬ  画素信号線
ＴＤＬ  タッチ検出電極
Ｔｒ  ＴＦＴ素子
Ｖｃｏｍ  駆動信号
Ｖｄｅｔ  タッチ検出信号
Ｖｄｉｓｐ  映像信号
Ｖｐｉｘ  画素信号
Ｖｓｃａｎ  走査信号
【図１】
0006268313.tif 000002
【図２】
0006268313.tif 000003
【図３】
0006268313.tif 000004
【図４】
0006268313.tif 000005
【図５】
0006268313.tif 000006
【図６】
0006268313.tif 000007
【図７】
0006268313.tif 000008
【図８】
0006268313.tif 000009
【図９】
0006268313.tif 000010
【図１０】
0006268313.tif 000011
【図１１】
0006268313.tif 000012
【図１２】
0006268313.tif 000013
【図１３】
0006268313.tif 000014
【図１４】
0006268313.tif 000015
【図１５】
0006268313.tif 000016
【図１６】
0006268313.tif 000017
【図１７】
0006268313.tif 000018
【図１８】
0006268313.tif 000019
【図１９】
0006268313.tif 000020
【図２０】
0006268313.tif 000021
【図２１】
0006268313.tif 000022
【図２２】
0006268313.tif 000023
【図２３】
0006268313.tif 000024
【図２４】
0006268313.tif 000025
【図２５】
0006268313.tif 000026
【図２６】
0006268313.tif 000027
【図２７】
0006268313.tif 000028
【図２８】
0006268313.tif 000029
【図２９】
0006268313.tif 000030
【図３０】
0006268313.tif 000031
【図３１】
0006268313.tif 000032
【図３２】
0006268313.tif 000033
【図３３】
0006268313.tif 000034
【図３４】
0006268313.tif 000035
【図３５】
0006268313.tif 000036